(57)【特許請求の範囲】
【請求項１】
白色連続光又は白色点滅光を発する１個の発光体と、
前記発光体からの白色光を受けると互いに色が異なる有色光を発する複数枚の拡散板と、
前記発光体で照らす前記拡散板を切替可能に選定する選定手段と、
前記選定手段で選定された前記拡散板からの有色光を受光し、受光した光色が外部からカメラの動作状態表示として視認され得る導光体と、
を有し、
複数枚の前記拡散板として、第１拡散板及び第２拡散板が設けられ、
前記選定手段として、スライド移動可能にされていてカメラ正面側のハウジングを構成するとともにカメラ正面側に前記導光体を保持し、スライド一端位置では前記発光体からの光で前記第１拡散板を照らして前記第１拡散板からの有色光で前記導光体を照らし、スライド他端位置では前記発光体からの光で前記第２拡散板を照らして前記第２拡散板からの有色光で前記導光体を照らす摺動板部が設けられたことを特徴とするカメラ。
【請求項２】
前記摺動板部のスライド移動距離と同じ間隔で互いに離れるように前記第１拡散板及び前記第２拡散板が配置され、
前記発光体が、前記導光体に向けて発光するように前記摺動板部に配置され、
前記スライド一端位置では前記発光体と前記導光体との間に前記第１拡散板が位置し、前記スライド他端位置では前記発光体と前記導光体との間に前記第２拡散板が位置することを特徴とする請求項１に記載のカメラ。
【請求項３】
前記摺動板部のスライド移動距離と同じ間隔で互いに離れるように前記第１拡散板及び前記第２拡散板が配置され、
前記摺動板部には、前記発光体からの光を反射する第１反射ミラーと、前記第２拡散板の裏面側に配置されて前記第１反射ミラーからの光を前記第２拡散板に向けて反射する第２反射ミラーと、が設けられ、
前記スライド一端位置では前記発光体からの光で前記第１拡散板に直接に照らして前記第１拡散板からの有色光で前記導光体を照らし、前記スライド他端位置では前記発光体からの光を前記第１反射ミラー、前記第２反射ミラーで順次反射して前記第２拡散板を照らして前記第２拡散板からの有色光で前記導光体を照らすことを特徴とする請求項１に記載のカメラ。
【請求項４】
前記摺動板部がカメラ正面側をスライド移動するグリップ部を構成し、
前記導光体が前記グリップ部に設けられていることを特徴とする請求項１〜３のうち何れ１項に記載のカメラ。
【請求項５】
前記発光体がＬＥＤであることを特徴とする請求項１〜４のうち何れか１項に記載のカメラ。
【発明の詳細な説明】
【０００１】
【発明の属する技術分野】
本発明は、動作状態を発光色により表示するカメラに関し、更に詳細には、電子スチルカメラとして最適なカメラに関する。
【０００２】
【従来の技術】
従来、カメラの動作状態を表示させる方法として、動作状態に応じて発光させる色ごとにカメラ９０にＬＥＤ９２、９４を設けるか（図７参照）、又は、同一チップ内に２色（緑、及び、赤）の発光が可能なＬＥＤ（light emitting diode）を設け、ＬＥＤの光が点灯していることがカメラ外部から判るようにする導光体を、緑、赤、橙の３色で光らせることで動作状態を示している（橙は、緑及び赤を同時に点灯させることで発光させる）。
【０００３】
【発明が解決しようとする課題】
しかし、発光させる色ごとにＬＥＤを設けると、部品点数が増大すると共に、消費電力が増大するという問題があった。
【０００４】
また、同一チップ内で２色の発光が可能なＬＥＤを設けると、２色の混色が橙色として視認されるようにＬＥＤから導光体までの距離を長くしたり、２色の発光色が分離することを防止するために導光体に工夫を施す必要があったりするという問題があった。
【０００５】
本発明は、上記事実を考慮して、簡素な構造で動作状態を視認できるカメラを提供することを課題とする。
【０００６】
【課題を解決するための手段】
請求項１に係る発明は、白色連続光又は白色点滅光を発する１個の発光体と、前記発光体からの白色光を受けると互いに色が異なる有色光を発する複数枚の拡散板と、前記発光体で照らす前記拡散板を切替可能に選定する選定手段と、前記選定手段で選定された前記拡散板からの有色光を受光し、受光した光色が外部からカメラの動作状態表示として視認され得る導光体と、を有し、複数枚の前記拡散板として、第１拡散板及び第２拡散板が設けられ、前記選定手段として、スライド移動可能にされていてカメラ正面側のハウジングを構成するとともにカメラ正面側に前記導光体を保持し、スライド一端位置では前記発光体からの光で前記第１拡散板を照らして前記第１拡散板からの有色光で前記導光体を照らし、スライド他端位置では前記発光体からの光で前記第２拡散板を照らして前記第２拡散板からの有色光で前記導光体を照らす摺動板部が設けられたことを特徴とする。
【０００７】
選定手段として、発光体又は拡散板を移動可能にして、光照射の対象となる拡散板を切り替える機構を設けてもよい。
【０００８】
請求項１に記載の発明により、１個の発光体で、光色の切り替えが可能なように導光体を照らすことができ、簡素な構造で、部品点数や消費電力を増大させることなく動作状態を視認できるカメラが実現される。従って、カメラの小型化、低消費電力化ができると共に、カメラのコストダウンを実現できる。
【０００９】
請求項２に係る発明は、前記摺動板部のスライド移動距離と同じ間隔で互いに離れるように前記第１拡散板及び前記第２拡散板が配置され、前記発光体が、前記導光体に向けて発光するように前記摺動板部に配置され、前記スライド一端位置では前記発光体と前記導光体との間に前記第１拡散板が位置し、前記スライド他端位置では前記発光体と前記導光体との間に前記第２拡散板が位置することを特徴とする。
【００１０】
請求項３に係る発明は、前記摺動板部のスライド移動距離と同じ間隔で互いに離れるように前記第１拡散板及び前記第２拡散板が配置され、前記摺動板部には、前記発光体からの光を反射する第１反射ミラーと、前記第２拡散板の裏面側に配置されて前記第１反射ミラーからの光を前記第２拡散板に向けて反射する第２反射ミラーと、が設けられ、前記スライド一端位置では前記発光体からの光で前記第１拡散板に直接に照らして前記第１拡散板からの有色光で前記導光体を照らし、前記スライド他端位置では前記発光体からの光を前記第１反射ミラー、前記第２反射ミラーで順次反射して前記第２拡散板を照らして前記第２拡散板からの有色光で前記導光体を照らすことを特徴とする。
【００１１】
請求項４に係る発明は、前記摺動板部がカメラ正面側をスライド移動するグリップ部を構成し、前記導光体が前記グリップ部に設けられていることを特徴とする。
【００１２】
近年、カメラ正面側をスライド移動するグリップ部を設け、グリップ部の移動によってカメラの電源のＯＮ、ＯＦＦを切り替える構造にされたカメラが多用されている。操作者が右手の親指以外の指（人差し指や中指など）でこのグリップ部を移動させることが可能なように、このグリップ部は、カメラ背面側から見て右側部に設けられることが多い。
【００１３】
このグリップ部に導光体を設けておくと、互いに色が異なる有色光を発する複数枚の拡散板をカメラ本体部に並べて設けることにより、グリップ部の移動位置によって導光体を照らす光色を切り替える構造を簡単に実現できるので、操作者などは、この光色の違いによってカメラのＯＮ、ＯＦＦの状態を容易に識別できる。
【００１４】
請求項５に係る発明は、前記発光体がＬＥＤであることを特徴とする。
これにより、発光体で消費される電力を低減できると共に、発光体の形状を任意の形状にし易い。
ＬＥＤとしては面実装タイプのチップＬＥＤが望ましいが、特に実装面積上に難点がなければリードタイプであってもよい。
【００１５】
【発明の実施の形態】
以下、実施形態を挙げ、本発明の実施の形態について説明する。
【００１６】
［第１形態］
まず、第１形態について説明する。図１に示すように、第１形態のカメラ１０では、カメラ本体部１２の正面側に、ストロボ発光部１４やファインダー１６に加え、正面方向Ｆから見て左端部にグリップ部１８が設けられている。
【００１７】
グリップ部１８の正面側には、滑らかに湾曲して突出した凸部２２が形成されており、操作者がカメラ１０を持った際、右手の親指以外の指が掛かり易い形状にされている。
【００１８】
また、グリップ部１８は操作者から見て、すなわち背面方向Ｂから見て左右方向Ｈにスライド移動可能（図１、図３参照）になっており、グリップ部１８の位置によってカメラ１０のＯＮ、ＯＦＦが切り替えられる。
【００１９】
なお、カメラ本体部１２には、背面方向Ｂから見て上部右端部にレリーズ釦２４が設けられている。
【００２０】
図２に示すように、グリップ部１８の中には空洞２８が形成されており、グリップ部１８のハウジングを構成しカメラ本体部１２の正面側で摺動する摺動板部３０の内側にはＬＥＤ実装基板３２が設けられ、白色光を発光する１個のＬＥＤ３６が、このＬＥＤ実装基板３２の正面側に設けられている。ＬＥＤ３６は、カメラ１０の正面方向Ｆから見て上下方向に細長い形状である。
【００２１】
また、グリップ部１８の凸部２２であってＬＥＤ３６の正面側には、受光した光色を外部から判断され得る短円筒状の導光体３８が、カメラ１０の上下方向Ｖ（図１、図３参照）に３個並べて設けられている。
【００２２】
グリップ部１８には、背面方向Ｂから見て左側壁に、空洞２８と連通する側面側開口４２が形成され、また、裏面側には、空洞２８と連通する裏面側開口４４が形成されている。
【００２３】
カメラ本体部１２には、後述の拡散板が固定されグリップ部１８の側面側開口４２から空洞２８へ入れられる拡散板固定部材４６が取付けられている。拡散板固定部材４６には、正面方向Ｆから見て上下方向に細長い互いに平行な２つの開口４８Ｂ、４８Ｇが形成されている。開口４８Ｂと開口４８Ｇとの間隔は、グリップ部１８のスライド移動距離と同じにされている。そして、開口４８Ｂは、白色光を受光すると橙色光を発光するように調合された橙色拡散板５０Ｂで覆われ、開口４８Ｇは、白色光を受光すると緑色光を発光するように調合された緑色拡散板５０Ｇで覆われている。
【００２４】
また、カメラ本体部１２には、ＬＥＤ３６を発光させるための電圧の印加開始、印加停止をコントロールするチップなどが実装された回路基板５２が内蔵されており、ＬＥＤ実装基板３２と回路基板５２とは、裏面側開口４４を経由したフレキシブルワイヤ５４によって電気的に接続されている。
【００２５】
カメラ１０を使用していないときは、背面方向Ｂから見てグリップ部１８が左方向に移動した状態（正面方向Ｆから見てグリップ部１８が右方向に移動した状態）である（図１、図２参照）。この状態でカメラ１０のバッテリーに充電を行った場合、カメラ１０は、回路基板５２からの電力によってＬＥＤ３６を発光させる。ＬＥＤ３６の正面側には橙色拡散板５０Ｂが位置しており、橙色拡散板５０Ｂで拡散された橙色の光で導光体３８が照らされる。この結果、導光体３８が橙色光で照らされていることがカメラ外部から判り、バッテリーの充電中であることが一目で判る。
【００２６】
カメラ１０のバッテリーの充電が完了した後など、この状態（図２参照）で充電を行っていないときには、ＬＥＤ３６は発光しないようにされている。
【００２７】
カメラ１０を使用するために、背面方向Ｂから見てグリップ部１８を右方向に移動した状態（正面方向Ｆから見てグリップ部１８を左方向に移動した状態）にすると（図３、図４参照）、回路基板５２の制御部（図示せず）はグリップ部１８の移動位置を認識し、カメラ１０は、回路基板５２からの電力によってＬＥＤ３６を発光させる。
【００２８】
グリップ部１８が移動しても拡散板固定部材４６は移動しないので、ＬＥＤ３６の正面側には緑色拡散板５０Ｇが位置し、導光体３８は、緑色拡散板５０Ｇで拡散された緑色の光で照らされる。この結果、導光体３８が緑色光で照らされていることが外部から判り、カメラ１０がパワーオンされた状態であることが一目で判る。
【００２９】
以上説明したように、第１形態によれば、グリップ部１８の移動位置によって、ＬＥＤ３６で照らされる拡散板が切り替えられ、このため、導光体３８を照らす光色が切り替わる。従って、ＬＥＤ３６を１個のみ設けておけばよく、複数個設ける必要がないので、部品点数を低減できると共に、消費電力の低減も可能である。
【００３０】
［第２形態］
次に、第２形態について説明する。第２形態では、第１形態と同様の構成要素には同じ符号を付してその説明を省略する。
【００３１】
図５、図６に示すように、第２形態のカメラ６０では、カメラ本体部６２の正面側にグリップ部６８が取付けられている。
【００３２】
グリップ部６８の正面側には、第１形態と同様、滑らかに湾曲して突出した凸部７２が形成されており、操作者がカメラ６０を持った際、右手の親指以外の指が掛かり易い形状にされている。また、グリップ部６８は操作者から見て、すなわち背面側から見て左右方向Ｈにスライド移動可能になっている。更に、グリップ部６８の中には空洞６９が形成されている。
【００３３】
また、グリップ部６８には、第１形態で説明したように、導光体３８がカメラ６０の上下方向に３個並べて凸部７２に設けられており、平面から見て左側壁に、空洞６９と連通する側面側開口７３が形成されている。
【００３４】
第２形態では、白色光を発する１個のＬＥＤ３２が、回路基板５２に直接的に実装されており、この回路基板５２はカメラ本体部６２に内蔵されている。ＬＥＤ３２の配置位置は、背面方向Ｂから見てグリップ部６８が左端に移動した状態にしたとき、ＬＥＤ３２の発光方向（すなわちカメラ正面方向）に導光体３８が位置する配置位置である。
【００３５】
カメラ本体部６２には、ＬＥＤ３２からの光を通過させる開口６４が形成され、グリップ部６８のハウジングを構成しカメラ本体部６２の正面側で摺動する摺動板部７０には、グリップ部６８のスライド移動距離に合わせて左右方向（スライド移動方向）に細長い開口７１が形成されている。
【００３６】
カメラ本体部６２には、グリップ部６８の側面側開口７３から空洞６９へ入れられる拡散板固定部材７６が取付けられており、拡散板固定部材７６には、第１形態で説明した２つの開口４８Ｂ、４８Ｇが形成され、開口４８ＢはＬＥＤ３２の発光方向に位置している。そして、開口４８Ｂは橙色拡散板５０Ｂで、開口４８Ｇは緑色拡散板５０Ｇで、それぞれ覆われている。
【００３７】
背面方向Ｂから見て摺動板部７０の左端部には、ＬＥＤ３２からの光を右方向へ反射する第１反射ミラー８０が設けられている。また、背面方向Ｂから見て拡散板固定部材７６の右端部には、緑色拡散板５０Ｇの裏面側の位置に、第１反射ミラー８０からの光をカメラ正面方向へ反射する第２反射ミラー８２が設けられている。
【００３８】
カメラ６０を使用していない状態（図５参照）でカメラ６０のバッテリーに充電を行った場合、カメラ６０は、回路基板５２からの電力によってＬＥＤ３２を発光させる。ＬＥＤ３２のカメラ正面方向には橙色拡散板５０Ｂが位置しているので、橙色拡散板５０Ｂで拡散された橙色の光で導光体３８が照らされる。この結果、導光体３８が橙色光で照らされていることがカメラ外部から判り、カメラ６０が充電中であることが一目で判る。
【００３９】
カメラ６０を使用するために、背面方向Ｂから見てグリップ部６８を右端に移動した状態にすると（図６参照）、回路基板５２の制御部（図示せず）はグリップ部６８の移動位置を認識し、カメラ６０は、回路基板５２からの電力によってＬＥＤ３２を発光させる。また、この状態では、第１反射ミラー８０がＬＥＤ３２のカメラ正面方向に位置している。このため、ＬＥＤ３２から発せられた光は、第１反射ミラー８０、第２反射ミラー８２で順次反射されて緑色拡散板５０Ｇに到達し、緑色拡散板５０Ｇで拡散された緑色の光で導光体３８が照らされる。この結果、導光体３８が緑色光で照らされていることがカメラ外部から判り、カメラ６０がパワーオンされた状態であることが一目で判る。
【００４０】
第２形態により、第１形態のように、ＬＥＤ実装基板をグリップ部の中に設ける必要がなく、フレキシブルワイヤを取付ける必要もない。
【００４１】
以上、実施形態を挙げて本発明の実施の形態を説明したが、上記実施形態は一例であり、要旨を逸脱しない範囲内で種々変更して実施できる。例えば、導光体の個数を３個でなく１個にし、これに合わせてＬＥＤや拡散板の寸法を小さくしても、同様の効果を奏することができる。また、本発明の権利範囲が上記実施形態に限定されないことは言うまでもない。
【００４２】
【発明の効果】
本発明は上記構成としたので、以下の効果を奏することができる。
【００４３】
請求項１に係る発明によれば、１個の発光体で、光色の切り替えが可能なように導光体を照らすことができ、簡素な構造で、部品点数や消費電力を増大させることなく動作状態を視認できるカメラが実現される。従って、カメラの小型化、低消費電力化ができると共に、カメラのコストダウンを実現できる。
【００４４】
請求項４に係る発明によれば、互いに色が異なる有色光を発する複数枚の拡散板を並べて設け、グリップ部の移動位置によって導光体を照らす光色を切り替える構造を簡単に実現できるので、操作者などは、この光色の違いによってカメラのＯＮ、ＯＦＦの状態を容易に識別できる。
【００４５】
請求項５に係る発明によれば、発光体で消費される電力を低減できると共に、発光体の形状を任意の形状にし易い。
【図面の簡単な説明】
【図１】  図１（Ａ）及び（Ｂ）は、それぞれ、第１形態で、充電される位置（カメラがパワーオフとなる位置）にグリップ部が移動したことを示す正面図及び平面図である。
【図２】  第１形態で、充電される位置にグリップ部が移動したときに、導光体が橙色拡散板からの光で照らされることを示す部分拡大平面断面図である。
【図３】  図３（Ａ）及び（Ｂ）は、それぞれ、第１形態で、カメラがパワーオンとなる位置にグリップ部が移動したことを示す正面図及び平面図である。
【図４】  第１形態で、カメラがパワーオンとなる位置にグリップ部が移動したときに、導光体が緑色拡散板からの光で照らされることを示す部分拡大平面断面図である。
【図５】  第２形態で、充電される位置にグリップ部が移動したときに、導光体が橙色拡散板からの光で照らされることを示す部分拡大平面断面図である。
【図６】  第２形態で、カメラがパワーオンとなる位置にグリップ部が移動したときに、導光体が緑色拡散板からの光で照らされることを示す部分拡大平面断面図である。
【図７】  従来のカメラ（特開２０００−２９９８０２に開示されたカメラ）の背面図である。
【符号の説明】
１０  カメラ
１８  グリップ部
３６  ＬＥＤ
３８  導光体
３０  摺動板部（選定手段）
４２  側面側開口（選定手段）
４６  拡散板固定部材（選定手段）
５０Ｂ  橙色拡散板
５０Ｇ  緑色拡散板
６０  カメラ
６８  グリップ部
７０  摺動板部（選定手段）
７１  開口（選定手段）
７３  側面側開口（選定手段）
７６  拡散板固定部材（選定手段）
８０  第１反射ミラー（選定手段）
８２  第２反射ミラー（選定手段）
【図１】
0004137488.tif 000002
【図２】
0004137488.tif 000003
【図３】
0004137488.tif 000004
【図４】
0004137488.tif 000005
【図５】
0004137488.tif 000006
【図６】
0004137488.tif 000007
【図７】
0004137488.tif 000008